(57)【要約】【課題】光プリントヘッドにおいてレンズアレイの光軸調整を容易に行えるようにし、且つレンズアレイのピント調整も容易に行えるようにする。【解決手段】本発明に係る光プリントヘッドは、ロッドレンズアレイ２を平行板４で挟んだある程度の機械的強度を持つ一体構造物１とすることにより大まかな光学的直線性を得、この一体構造物をホルダの平行壁の間の間隙に保持させ、前記ホルダの一対の平行壁の両端部付近に配置された少なくとも１つの焦点調整機構により発光素子アレイと前記ロッドレンズアレイの距離を変化させて焦点距離を合わせ、さらに、前記平行壁の中間部分において螺子９で調整することにより、レンズアレイの全体的なスポット位置の曲り、傾き、捻れを緩やかに補正することにより最終的な光学的直線性を得る。  このとき、螺子９で保持されている各螺子位置の近傍における滑らかな曲がりが補正され、レンズアレイ２の局所的な歪の発生を回避させることができる。【選択図】      図２
2005035158.tif 000002
【特許請求の範囲】
【請求項１】
１群のロッドレンズを互いの光軸が平行するように並べられた所定の長さのレンズアレイと、前記レンズアレイの両端部にそれぞれ配置された一対のブロックと、前記レンズアレイの長手方向の両側面に配置されて前記レンズアレイ及び一対のブロックの一部を挟持固定する一対の平行板と、によって構成された一体構造物と、
一対の平行壁を有し、該平行壁間の間隙に前記一体構造物を受け入れ可能なホルダと、
前記ホルダの一対の平行壁の両端部付近に配置され、前記一体構造物を上下動させることが可能な少なくとも１つの焦点調整機構と、
前記ホルダの一対の平行壁のそれぞれの両端部及び中間部に配置され、前記レンズアレイの長手方向と直交する方向に進退自在に設けられた複数の調整螺子と、
を備えてなる光プリントヘッド。
【請求項２】
１群のロッドレンズを互いの光軸が平行するように並べられた所定の長さのレンズアレイと、前記レンズアレイの両端部にそれぞれ配置された一対のブロックと、前記レンズアレイの長手方向の両側面に配置されて前記レンズアレイ及び一対のブロックの一部を挟持固定する一対の平行板と、によって構成された一体構造物と、
一対の平行壁を有し、該平行壁間の間隙に前記一体構造物を受け入れ可能なホルダと、
前記ホルダの一対の平行壁の両端部付近に配置され、前記一体構造物を上下動させることが可能な少なくとも１つの焦点調整機構と、
前記ホルダの一対の平行壁のそれぞれの両端部及び中間部に配置され、前記レンズアレイの長手方向と直交する方向に進退自在に設けられた複数の調整螺子と、
を備え、
前記ホルダの一対の平行壁が、両端部と中間部とに分離されていることを特徴とする光プリントヘッド。
【請求項３】
前記焦点調整機構は、前記ホルダの平行壁の両端部の間隙底部に設けられ、前記一体構造物のブロック底面に当接する螺子又は弾性体であることを特徴とする請求項１又は２記載の光プリントヘッド。
【請求項４】
前記焦点調整機構は、前記ホルダの平行壁の両端部の上部に固定した座板に設けられ、前記一体構造物のブロック上面に当接する螺子又は弾性体であることを特徴とする請求項１又は２記載の光プリントヘッド。
【請求項５】
前記ホルダに設けられた複数の調整螺子は、該ホルダの長手方向の各設置位置において前記レンズアレイの光軸方向に複数個ずつ設けられていることを特徴とする請求項１〜４のいずれか１項に記載の光プリントヘッド。
【請求項６】
１群のロッドレンズを互いの光軸が平行するように並べられた所定の長さのレンズアレイと、前記レンズアレイの両端部にそれぞれ配置された一対のブロックと、前記レンズアレイの長手方向の両側面に配置されて前記レンズアレイ及び一対のブロックの一部を挟持固定する一対の平行板と、によって構成された一体構造物と、
一対の平行壁を有し、該平行壁間の間隙に前記一体構造物を受け入れ可能なホルダと、
前記ホルダの一対の平行壁の両端部付近に配置され、前記一体構造物を上下動させることが可能な少なくとも１つの焦点調整機構と、
前記ホルダの一対の平行壁の一方の両端部及び中間部に配置され、前記レンズアレイの長手方向と直交する方向に進退自在に設けられた複数の調整螺子と、
前記ホルダの一対の平行壁の他方の両端部及び中間部に配置された弾性体と、
を備えてなる光プリントヘッド。
【請求項７】
前記ホルダの一対の平行壁が、両端部と中間部とに分離されていることを特徴とする請求項６に記載の光プリントヘッド。
【請求項８】
前記焦点調整機構は、前記ホルダの平行壁の両端部の間隙底部に設けられ、前記一体構造物のブロック底面に当接する螺子又は弾性体であることを特徴とする請求項６又は７記載の光プリントヘッド。
【請求項９】
前記焦点調整機構は、前記ホルダの平行壁の両端部の上部に固定した座板に設けられ、前記一体構造物のブロック上面に当接する螺子又は弾性体であることを特徴とする請求項１又は２記載の光プリントヘッド。
【請求項１０】
前記ホルダに設けられた複数の調整螺子は、該ホルダの長手方向の各設置位置において前記レンズアレイの光軸方向に複数個ずつ設けられていることを特徴とする請求項６〜９のいずれか１項に記載の光プリントヘッド。
【請求項１１】
前記ホルダの一対の平行壁の他方の両端部及び中間部に配置された弾性体は、前記ホルダに設けられた複数の調整螺子が設けられた位置に対応して、複数個設けられていることを特徴とする請求項６〜１０の何れか１項に記載の光プリントヘッド。
【発明の詳細な説明】
【技術分野】
【０００１】
本発明は、電子写真方式のプリンタの感光ドラムに画像の静電潜像を形成する光プリントヘッドに関し、特にレンズアレイ中間部分の機械的、光学的な直線性が得られやすく、光軸調整が容易にできるようになした光プリントヘッドに関する。
【背景技術】
【０００２】
コンピュータ等の出力手段として用いられるプリンタには、ドットインパクト方式、インクジェット方式、電子写真方式等種々のものがある。電子写真方式の代表的なものであるゼログラフィー方式では、感光ドラムを露光して画像の静電潜像を形成し、この静電潜像にトナーを付着させ、可視像とした後、このトナーを紙に転写し、熱を加えて融解し紙に定着させるものである。感光体ドラムを露光する方式としては、レーザ光を回転ミラーで反射し、感光体ドラムをスキャニングする方式、またロッドレンズを多数並べたセルフォックレンズ（登録商標名）として知られるレンズアレイを感光体ドラムと平行に置いて等倍投影する方式などがある。
このうち、レンズアレイを用いる光プリントヘッドは、可動部がなく構造的に簡単であり、故障が少なく、コスト的にも有利であるという特徴がある。
従来の光プリントヘッドは、レンズアレイを強度が大きく平坦なホルダに両面テープで貼り付けて固定していた。しかしながら、レンズアレイによってはロッドレンズに傾きが生じ、光軸のずれが生じていることがあった。ロッドレンズに傾きが生じると感光体ドラム上の結像スポットが副走査方向（感光体ドラムの軸線に直交する方向）にずれる。したがって、マゼンタ用、シアン用、イエロー用、ブラック用と各色毎の現像ユニットを順に配置するタンデム方式のカラープリンタにあっては、各現像ユニット間の結像スポットが一致していないと色ずれした画像として印字されてしまう。これを防ごうと思えば、ロッドレンズの傾きの少ないレンズアレイばかりを選び出して基台に貼り付ける必要がありコストアップの要因となっていた。
そこで、ロッドレンズアレイの傾きや捻れを手動により操作して光軸のずれを調整する方法として、ロッドレンズアレイを保持するハウジングに設けた枠体の両側に走査方向に沿って一列に並ぶ複数個の調整螺子を設け、この調整螺子を調整することによりロッドレンズアレイの側面を直接押圧して光軸のずれを補正するものが下記特許文献１に開示されている。
【０００３】
この特許文献１に開示された発明によれば、枠体の長手方向の略全長にわたって一列に並べて設けた複数個の調整螺子を１つづつ調整してロッドレンズアレイの傾きや捻れを調整する物であるため、非常に多くの調整螺子を調整することになり、多くの手間がかかり調整が面倒であるばかりか、調整螺子の個数が多く、部品コスト、組み立てコストが増加するという不都合があった。
【０００４】
このように多くの調整螺子をロッドレンズアレイの走査方向に一列に並べて調整することが必要な理由は、もともとロッドレンズアレイは、前述のようにプリンタに応じた大きさに設定する必要があるため、自ずと寸法が長く幅の狭い形状になるからである。
このため、本願出願人は、先に光軸調整を容易に行える光プリントヘッドとして、１群のロッドレンズを並べた長寸のレンズアレイと、レンズアレイの両端に設けたブロックと、レンズアレイとブロックを左右から挟持固定する一対の補強板とにより一体構造物を構成する一方、対向して設けた調整螺子を有する平行壁により間隙を形成したホルダを備え、構造体の両端のブロックを間隙に収納し調整螺子により光軸を調整するようになした光プリントヘッドに関する特許出願（特願２００２−３１７９３１号）を行っている。（以下、この特許出願の明細書及び図面に開示されている発明を「先願発明」という。）
【特許文献１】特開２００２−２２５３３９号公報（〔００２１〕〜〔００２５〕、図１）
【発明の開示】
【発明が解決しようとする課題】
【０００５】
しかしながら、前記先願発明においては、ロッドレンズの姿勢に多少の不整合があったとしても平行壁両端部に設けた少ない数の調整螺子により容易に調整できる利点はあるが、任意の位置でのレンズアレイの傾きと高さの補正・調整時に、レンズアレイを固定させている螺子の各個所で局部的に歪、曲がり、捻れを発生させることが多いことが見出された。
本願の発明者は、前記の問題点を解消すべく種々検討を行った結果、全体的なロッドレンズアレイの機械的な曲がり及び捻れを平行板で矯正させることとし、光学的な任意位置での曲がり及び傾きは平行壁中間部に設置した複数の螺子によって一体構造物を直接押さえて所定の方向に調整することにより、滑らかに曲がりを補正させることができることを見出し、本発明を完成するに至ったものである。
【０００６】
すなわち、本発明は、前記の問題点を解決することを課題とし、光プリントヘッドにおいてレンズアレイの光軸調整を容易に行えるようにし、且つレンズアレイのピント調整も容易に行えるようにした光プリントヘッドを提供することを目的とする。
【課題を解決するための手段】
【０００７】
本願の請求項１に係る光プリントヘッドの発明は、
１群のロッドレンズを互いの光軸が平行するように並べられた所定の長さのレンズアレイと、前記レンズアレイの両端部にそれぞれ配置された一対のブロックと、前記レンズアレイの長手方向の両側面に配置されて前記レンズアレイ及び一対のブロックの一部を挟持固定する一対の平行板と、によって構成された一体構造物と、
一対の平行壁を有し、該平行壁間の間隙に前記一体構造物を受け入れ可能なホルダと、
前記ホルダの一対の平行壁の両端部付近に配置され、前記一体構造物を上下動させることが可能な少なくとも１つの焦点調整機構と、
前記ホルダの一対の平行壁のそれぞれの両端部及び中間部に配置され、前記レンズアレイの長手方向と直交する方向に進退自在に設けられた複数の調整螺子と、
を備えていることを特徴とするものである。
【０００８】
また、本願の請求項２に係る発明は、前記請求項１に記載の光プリントヘッドにおいて、前記ホルダの一対の平行壁が、両端部と中間部とに分離されていることを特徴とする。
【０００９】
また、本願の請求項３に係る発明は、前記請求項１又は２に係る光プリントヘッドにおいて、前記焦点調整機構が、前記ホルダの平行壁の両端部の間隙底部に設けられ、前記一体構造物のブロック底面に当接する螺子又は弾性体であることを特徴とする。
【００１０】
また、本願の請求項４に係る発明は、前記請求項１又は２に係る光プリントヘッドにおいて、前記焦点調整機構が、前記ホルダの平行壁の両端部の上部に固定した座板に設けられ、前記一体構造物のブロック上面に当接する螺子又は弾性体であることを特徴とする。
【００１１】
また、本願の請求項５に係る発明は、前記請求項１〜４に係る光プリントヘッドにおいて、前記ホルダに設けられた複数の調整螺子は、該ホルダの長手方向の各設置位置において前記レンズアレイの光軸方向に複数個ずつ設けられていることを特徴とする。
【００１２】
更に、本願の請求項６に係る光プリントヘッドの発明は、
１群のロッドレンズを互いの光軸が平行するように並べられた所定の長さのレンズアレイと、前記レンズアレイの両端部にそれぞれ配置された一対のブロックと、前記レンズアレイの長手方向の両側面に配置されて前記レンズアレイ及び一対のブロックの一部を挟持固定する一対の平行板と、によって構成された一体構造物と、
一対の平行壁を有し、該平行壁間の間隙に前記一体構造物を受け入れ可能なホルダと、
前記ホルダの一対の平行壁の両端部付近に配置され、前記一体構造物を上下動させることが可能な少なくとも１つの焦点調整機構と、
前記ホルダの一対の平行壁の一方の両端部及び中間部に配置され、前記レンズアレイの長手方向と直交する方向に進退自在に設けられた複数の調整螺子と、
前記ホルダの一対の平行壁の他方の両端部及び中間部に配置された弾性体と、
を備えていることを特徴とするものである。
【００１３】
また、本願の請求項７に係る発明は、前記請求項６に記載の光プリントヘッドにおいて、前記ホルダの一対の平行壁が、両端部と中間部とに分離されていることを特徴とする。
【００１４】
また、本願の請求項８に係る発明は、前記請求項６又は７に記載の光プリントヘッドにおいて、前記焦点調整機構が、前記ホルダの平行壁の両端部の間隙底部に設けられ、前記一体構造物のブロック底面に当接する螺子又は弾性体であることを特徴とする。
【００１５】
また、本願の請求項９に係る発明は、前記請求項６又は７に記載の光プリントヘッドにおいて、前記焦点調整機構が、前記ホルダの平行壁の両端部の上部に固定した座板に設けられ、前記一体構造物のブロック上面に当接する螺子又は弾性体であることを特徴とする。
【００１６】
また、本願の請求項１０に係る発明は、前記請求項６〜９のいずれかに記載の光プリントヘッドにおいて、前記ホルダに設けられた複数の調整螺子は、該ホルダの長手方向の各設置位置において前記レンズアレイの光軸方向に複数個ずつ設けられていることを特徴とする。
【００１７】
また、本願の請求項１１に係る発明は、前記請求項６〜１０のいずれかに記載の光プリントヘッドにおいて、前記ホルダの一対の平行壁の他方の両端部及び中間部に配置された弾性体を、前記ホルダに設けられた複数の調整螺子が設けられた位置に対応して、複数個設けられていることを特徴とする。
【発明の効果】
【００１８】
本願の請求項１に係る光プリントヘッドによれば、ロッドレンズアレイを平行板で挟んで、ある程度の機械的強度を持つ一体構造物とすることにより大まかな光学的直線性を得、この一体構造物をホルダの平行壁に保持させ、前記ホルダの一対の平行壁の両端部付近に配置された少なくとも１つの焦点調整機構により発光素子アレイと前記ロッドレンズアレイの距離を変化させて焦点距離を合わせ、さらに平行壁の中間部分において、Ｙ、θ方向（ただし、水平且つレンズアレイの長手方向に平行な方向をＸ方向とし、Ｘ方向に対して同じく水平で直角な方向をＹ方向とし、及びこれらに垂直な方向をＺ方向とし、Ｚ方向とＹ方向のなす垂直面内での回転をθ方向とする。）に螺子で調整することにより、ロッドレンズアレイの全体的なスポット位置の曲がり、傾きを緩やかに補正することにより、最終的な光学的直線性が得られる。このとき、滑らかに曲がりを補正し、螺子で保持されている各螺子位置の近傍におけるロッドレンズアレイの局部的な歪の発生を回避させることができるようになる。
【００１９】
また、本願の請求項２に係る光プリントヘッドによれば、ロッドレンズアレイの全体的な傾きの補正と、スポット位置の曲がりや傾きを穏やかに補正・調整することができるようになる。
【００２０】
また、本願の請求項３及び４に係る光プリントヘッドによれば、どちらの構成を採用しても容易に発光素子アレイと前記ロッドレンズアレイの距離を変化させて焦点距離を正確に合わせることができるようになる。
【００２１】
また、本願の請求項５に係る光プリントヘッドによれば、前記レンズアレイが前記調整螺子により長手方向に対して垂直方向において複数箇所で保持・固定されるようになるから、前記レンズアレイを傾きや捻れ等を補正した状態で確実に保持・固定できるようになる。
【００２２】
更に、本願の請求項６に係る光プリントヘッドによれば、前記請求項１に係る光プリントヘッドにおける一対の平行壁のそれぞれに設けられている複数の調整螺子のうち、一方の平行壁側に設けられている複数の調整螺子を弾性体に置き換えたため、調整箇所が減少し、前記請求項１に係る光プリントヘッドと同様の作用を奏しながらも調整が容易となる。
【００２３】
また、本願の請求項７〜１０に係る光プリントヘッドによれば、それぞれ前記請求項２〜５に係る光プリントヘッドと同様の効果を奏しながらも調製が容易となる。
【００２４】
また、本願の請求項１１に係る光プリントヘッドによれば、調整螺子に対応する位置にそれぞれ弾性体が設けられているので、調整螺子により加えられた力が正確に前記レンズアレイに伝達されるようになり、前記レンズアレイの傾きや捻れを容易にかつ正確に補正・調整することができるようになる。
【発明を実施するための最良の形態】
【００２５】
以下、本発明に係る光プリントヘッド及びこの光プリントヘッドを用いた調整方法について、添付の図面を参照して実施例を詳細に説明する。ただし、以下に示す実施例は本発明の技術思想を具体化するための光プリントヘッドの構成を例示するものであって、本発明をこの光プリントヘッドに特定することを意図するものではなく、その技術思想の範囲に含まれるものに等しく適用し得るものである。
【実施例１】
【００２６】
まず、本発明の実施例１に係る光プリントヘッドを図１〜図６を参照しながら説明する。図１は、本発明の光プリントヘッドの一体構造物の平面図、図２は図１の光プリントヘッドの実装状態を示す平面図、図３は図２に示した光プリントヘッドのホルダ平行壁端部のＡ−Ａ線に沿った断面図、図４は本発明の光プリントヘッドのホルダ平行壁端部の変形例の断面図、図５は図２に示した光プリントヘッドの平行壁中間部のＢ−Ｂ線に沿った断面図、図６は実施例１に係る光プリントヘッドにおける調整例を示す図であり、図６（Ａ）、図６（Ｂ）は調整前、図６（Ｃ）、図６（Ｄ）は調整後の一体構造物における結像スポットのバラツキと調整を示す説明図である。
図１において、一体構造物１は、１群のロッドレンズを互いの光軸が平行となるように並べてユニット化された所定の長さのレンズアレイ２、該レンズアレイ２の両端に嵌合、接着あるいは当接により接している幅寸法と厚みが該レンズアレイ２と略等しい硬質樹脂製、金属等のブロック３、及び、前記レンズアレイ２の長手方向の両側面に配置され、該レンズアレイ２及びブロック３を挟持し、ボルト及びナットでブロック３に固定・一体化されている一対の細長いアルミニウム等の平行板４とからなっている。
図２を参照すると、前記一体構造物１は、該一体構造物１を受け入れる間隙６を有する一対の平行壁７を備えたホルダ５内に固定されており、また、該ホルダ５はアルミニウム等の金属よりなる放熱フィン１０（図３参照）に螺子１１により固定されている。そして、このホルダ５は、平行壁両端部７ａ、７ｂ付近の間隙６の底部に、前記一体構造物１を上下動させることができる焦点調整機構８（図３参照）を備えている。
ホルダ５の平行壁７は、平行壁両端部７ａ、７ｂと平行壁中間部７ｃとに分けて設けられている。平行壁両端部７ａ、７ｂには、それぞれ一体構造物１のブロック３の部分に対向するように、一体構造物１の長手方向に直交する方向に進退自在に設けられた複数の調整螺子９を備え、また平行壁中間部７ｃにも、ホルダ５の長手方向に沿って所定の位置に配置された、一体構造物１の長手方向と直交する方向（Ｙ方向）に進退自在に設けられた複数の調整螺子９を備えている。なお、図２に示した調整螺子９の各設置個所では、ロッドレンズの光軸方向すなわち平行壁７の上下方向にも複数の調整螺子９が配置されている。
【００２７】
そして、前記一体構造物１はホルダ５の平行壁の間隙６に挿入されており、焦点調整機構８によって、一体構造物１の両端部を上下させることにより、ホルダ５の底面に取り付けられた放熱フィン１０の表面に配置されている発光素子アレイチップと一体構造物１との距離を調整し、レンズアレイ２の焦点を調整するようになされている。
【００２８】
焦点調整機構８は、図３に示したように、平行壁両端部７ａ、７ｂの間隙底部に設けられた一体構造物１のブロック３底面に当接する螺子又は弾性体からなり、一体構造物１の両端部を上下動させる昇降螺子８’を有している。昇降螺子８’は、図３では放熱フィン１０側から昇降するようにしたものを示したが、ホルダの空洞内から行うようにしてもよい。この昇降螺子８’による調整は、レンズアレイ２の結像スポットの距離を調整する焦点調整のためのものであり、両端の昇降螺子８’を適宜調整して一体構造物１の全体あるいは一端を上下動させて焦点を調整する。
【００２９】
また、この焦点調整機構８は、図４に示したように、平行壁両端部７ａ、７ｂの上部に固定した座板４１に設けられた一体構造物１のブロック３上面に当接する上下動自在な可動螺子４２及び平行壁両端部７ａ、７ｂの間隙の底部にばね４３により上方に付勢される弾性体４４からなるものであってもよい。
【００３０】
また、この一体構造物１は、調整螺子９によってレンズアレイ２の傾き及び曲がりを補正・調整して光軸を調整するようになされている。調整螺子９による光軸の調整を図３を用いて説明する。まず、平行壁両端部７ａ、７ｂに設けられた光軸方向に配列された複数の調整螺子９を用いて、光軸が図に示すα側に傾いている場合には、図３の左側上部の調整螺子９を緩め、右側上部の調整螺子を締めるか、あるいは図面の右側下部の調整螺子を緩め、左側下部の調整螺子を締めて光軸を調整する。光軸が図３に示すβ側に傾いている場合には、図３の右側上部の調整螺子を緩め、左側上部の調整螺子を締めるか、あるいは図面の左側下部の調整螺子を緩め、右側下部の調整螺子を締めて光軸の傾きを調整する。これらの微妙な調整は、それぞれの調整螺子を試行錯誤で調整することにより行われる。
【００３１】
このようにして、行壁両端部７ａ、７ｂに設けられた光軸方向に配列された複数の調整螺子９により一体構造物１全体の大まかな光軸調整はなされるが、どうしても一体構造物１の中間部分でレンズアレイ２の曲がり、ファイバーの傾き等による光軸のずれや傾きが生じるのを避けられない。そこで、本発明においては、この一体構造物１の光軸のずれ及び傾きの解消のため、図５に示したように、平行壁中間部７ｃにおいても所定間隔で設置された調整螺子９を利用する。なお、図５は、図２に示した光プリントヘッドの平行壁中間部のＢ−Ｂ線に沿った断面図である。
この一体構造物１の中間部の調整螺子９によるレンズアレイ２の補正・調整の具体例を図６を用いて説明する。図６は本発明に係る光プリントヘッドの一体構造物における結像スポットのバラツキを示す調整前と調整後の説明図である。図６（Ａ）は調整前の一体構造物１とその結像スポットのずれを示し、図６（Ｂ）は放熱フィン１０の表面に配置されている発光素子アレイチップ１２とその上に支持されている一体構造物１の光軸のずれ関係を示す図である。
【００３２】
一体構造物１は発光素子１２上に本来は垂直に保持されているが、レンズアレイの機械的、光学的な曲がり、捻れにより、ロッドレンズ２の光軸に傾きが生じ、図６（Ａ）に符号１３及び１４で示したように、場所により結像スポットに局部的にずれた部分が生じる。そこで、図６（Ｃ）に示すように光軸のずれた部分の近くの平行壁中間部７ｃの調整螺子９を適宜に、この例では２箇所選択し、それぞれ結像スポットのずれに対して互いに反対方向から平行板を螺子で押し付けることによって、光軸の傾きを調整したものである。
【００３３】
この場合、調整箇所では、当初図６（Ｂ）のように機械的には垂直であった一体構造物１を、例えば図６（Ｄ）のように、上下方向に複数設けた調整螺子９で一体構造物１に傾きをつけることにより、レンズアレイ２の光軸の角度θを調整することができるのである。
【実施例２】
【００３４】
次に、本発明の実施例２に係る光プリントヘッドの調整例を図７を参照して説明する。図７は実施例２に係る光プリントヘッドの調整例を示す図であり、図７（Ａ）、図７（Ｂ）は調整前、図７（Ｃ）、図７（Ｄ）は調整後の一体構造物における結像スポットのバラツキと調整を示す説明図である。
図７（Ａ）及び図７（Ｂ）には発光素子１２上に取り付けられた一体構造物１とその結像スポットのずれが示されている。この例は、レンズアレイ２の機械的、光学的な曲がり、捻れにより、全体的に緩やかなカーブを持って結像スポットがずれているものを示している。そこで、図７（Ｃ）に示すように光軸のずれた部分の近くの平行壁中間部７ｃの調整螺子を適宜に、この例では１箇所選択し、その部分で一体構造物１の平行板４を押し付けることによって光軸の傾きを調整したものである。
【００３５】
この場合、図７（Ｂ）のように調整前は機械的に垂直であった一体構造物1を、例えば図７（Ｄ）のように、上下方向に複数設けた調整螺子９で一体構造物１に傾きをつけることにより、レンズアレイ２の光軸の角度θを調整することができるのである。
【００３６】
上記何れの場合も、平行壁中間部７ｃの全部の調整螺子９を調整することが必要とされるのではなく、光軸のずれに応じて選択的に１乃至数箇所微調整すればよいことは当業者にとり自明であろう。
このように、本実施例１及び２に示した構造の光プリントヘッドは、レンズアレイ２とその長手方向両側面を支える一対の平行板４とを備え、且つ平行板４の両端部をブロック３で中継された一体構造物１を、両端ブロック３部分を複数の螺子孔に調整螺子９が取り付けられた平行壁両端部７ａ、７ｂに挿入し、この両端ブロック３部分を調整螺子９によって調整することにより、一体構造物１の全体的な傾きを補正させた状態で保持することが可能となる。
【００３７】
また、ブロック３底面を平行壁両端部７ａ、７ｂの下部又は上部に位置した昇降螺子８’、４２又は弾性体４４によって一体構造物１を上下させることにより焦点調整することができ、さらにレンズアレイ２の選択位置での光学的な曲がり及び光学的傾きを、平行壁中間部７ｃに設けた複数の調整螺子９によって補正することができる。
この場合、レンズアレイ２の光学的な曲がりの補正は、平行壁中間部７ｃに設けた複数の調整螺子９がレンズアレイ２を挟んでいる平行板４を押さえつけることによって行われるので、曲がりの補正自体は調整螺子９の当接する狭い範囲の個所が補正されるのではなく、選択した調整螺子９の位置近傍を含めて補正される。
【００３８】
さらに、レンズアレイ２の全体に及ぶ機械的な曲がり、捻れの補正は、レンズアレイ２の長手方向両側面を支える一対の平行板４で行われ、局部的な光学的な曲がり、捻れ、傾きの補正については該当位置付近の平行壁中間部７ｃに備えた調整螺子９によって該当位置近傍の一体構造物１を補正することによって行われるので、各調整螺子９による局部的な歪の発生を回避することができる。
なお、上述の実施例１及び２では、一対の平行壁の両方の平行壁両端部及び中間部に配置され、レンズアレイ２長手方向と直交する方向に進退自在に設けられた複数の調整螺子９を備えたホルダ４について説明したが、図８に示した如く、一対の平行壁８７の一方には弾性体８２を備え、これに対向して他方の平行壁８７の両端部及び中間部に配置され、レンズアレイ長手方向と直交する方向に進退自在に設けられた複数の調整螺子８９とを備えたホルダ８５を使用し、一体構造物を該ホルダ８５の間隙に挿入して弾性体８２と調整螺子８９とによってレンズアレイの傾き及び曲がりを調整するようにしてもよい。この場合、一方が弾性体であるから、調整螺子のような微細な回転による調整を必要としないですむ。
本実施例１及び２における上記調整螺子９、８９は、レンズアレイ２の長手方向すなわちホルダ平行壁の長手方向に必要に応じて任意の箇所に配置すればよく、レンズアレイの長さによって適宜設置位置を決めればよい。
また、この調整螺子９、８９は、レンズアレイの光軸方向すなわちホルダ平行壁の上下方向には２個配置した例を示したが、３個以上であってもよく、少なくとも２個の調整螺子を備えていればよい。さらに、
ホルダの一対の平行壁が両端部と中間部とに分離されたものについて説明したが、平行壁は両端部と中間部とが一体に形成されたものでも差し支えない。なお、
本発明のレンズアレイは、シリカガラスを用いるもの又はプラスチックレンズを用いるものの何れに対しても適用でき、何れの場合も同様の効果が得られる。
【図面の簡単な説明】
【００３９】
【図１】図１は本発明の光プリントヘッドの一体構造物の平面図である。
【図２】図２は図１の光プリントヘッドの実装状態を示す平面図である。
【図３】図３は図２に示した光プリントヘッドのホルダ平行壁端部のＡ−Ａ線に沿った断面図である。
【図４】図４は本発明の光プリントヘッドのホルダ平行壁端部の変形例の断面図である。
【図５】図５は図２に示した光プリントヘッドの平行壁中間部のＢ−Ｂ線に沿った断面図である。
【図６】図６は実施例１に係る光プリントヘッドの調整例であり、図６（Ａ）、図６（Ｂ）は調整前、図６（Ｃ）、図６（Ｄ）は調整後の一体構造物における結像スポットのバラツキと調整を示す説明図である。
【図７】図７は実施例２に係る光プリントヘッドの調整例であり、図７（Ａ）、図７（Ｂ）は調整前、図７（Ｃ）、図７（Ｄ）は調整後の一体構造物における結像スポットのバラツキと調整を示す説明図である。
【図８】図８は本発明の光プリントヘッドのホルダ平行壁端部の変形例の断面図である。
【符号の説明】
【００４０】
１        一体構造物
２        レンズアレイ
３        ブロック
４        平行板
５        ホルダ
６        平行壁の間隙
７        平行壁
７ａ、７ｂ  平行壁両端部
７ｃ      平行壁中間部
８        焦点調整機構
８’      昇降螺子
９        調整螺子
１０        放熱フィン
１１        螺子
１２        発光素子
【図１】
2005035158.tif 000003
【図２】
2005035158.tif 000004
【図３】
2005035158.tif 000005
【図４】
2005035158.tif 000006
【図５】
2005035158.tif 000007
【図６】
2005035158.tif 000008
【図７】
2005035158.tif 000009
【図８】
2005035158.tif 000010